(57)【要約】  【課題】  扉内側のライナーに別の部材を設けることなくポケットなどの収納用部材を取り付けることができる、冷却庫を提供する。  【解決手段】  外壁１１とその内側にライナー１２を備える扉１０において、ライナー１２に真空成形により複数の凹部１３を設ける。収納用部材であるポケット１７およびフック１８にはそれぞれ凹部１３と嵌合する形状の突起１７ａ、１８ｂが設けられており、ライナー１２に着脱可能である。【選択図】      図２
2007032849.tif 000002
【特許請求の範囲】
【請求項１】
外壁と、この外壁の内面側に配置され、収納用部材が着脱可能であるライナーと、前記外壁と前記ライナーとの間に配置された断熱材とを有する扉を備えた冷却庫において、
前記ライナーは複数の凹部を有し、前記収納用部材は前記凹部に嵌合する形状の突起を有することを特徴とする冷却庫。
【請求項２】
前記ライナーが一体に成形されていることを特徴とする、請求項１に記載の冷却庫。
【請求項３】
前記凹部が、前記ライナーの表面から前記外壁に向けて斜め下方に延びる形状であることを特徴とする請求項１または２に記載の冷却庫。
【請求項４】
前記収納用部材が、前記突起の付け根の下方に前記ライナーの表面と接するライナー接触部を備えることを特徴とする請求項１〜３のいずれかに記載の冷却庫。
【請求項５】
前記収納用部材として、上部に開口部を有する箱状のポケットを含むことを特徴とする請求項１〜４のいずれかに記載の冷却庫。
【請求項６】
前記収納用部材として、フックを含むことを特徴とする請求項１〜５のいずれかに記載の冷却庫。
【請求項７】
前記ライナーに前記凹部が少なくとも水平方向に等間隔に設けられており、前記ポケットが前記凹部の間隔と同じ間隔で複数の前記突起を有することを特徴とする請求項５〜７のいずれかに記載の冷却庫。
【発明の詳細な説明】
【技術分野】
【０００１】
本発明は、扉の内側のポケットの取り付け位置を変更できる冷却庫に関する。「冷却庫」とは、食品その他の物品の保存のため、「庫内」と称される密閉空間の温度を下げる装置全般を指す概念であり、「冷蔵庫」、「冷凍庫」、「冷凍冷蔵庫」といった商品としての名称を問わない。
【背景技術】
【０００２】
従来、冷却庫の扉の内側にはポケットが設けられており、容積の小さい食品や卵、飲料品の缶やビンなどの収納品を簡単に出し入れできるようになっている。収納品の大きさに応じて、このポケットの取り付け位置を変更したり、幅の異なるポケットを取り付けたりすることができる冷却庫として、特許文献１で提案された冷蔵庫がある。
【特許文献１】特開２０００−３４６５４３号公報（第３頁、第４頁、図３）
【発明の開示】
【発明が解決しようとする課題】
【０００３】
特許文献１で提案された冷蔵庫は、ポケットを取り付けるために扉側取付け部が扉内面（ライナー）に爪嵌合で取り付けられていた。さらに、扉本体（外壁）と扉内面との間の断熱材を発泡させた際に扉内面の扉側取付け部の嵌合部分から断熱材が漏れないようにするために、扉内面と扉側取付け部との隙間を封止する必要があった。
【０００４】
そこで、本発明は、扉内面のライナー上に別部材を設けることなくポケットなどの収納用部材が着脱可能である冷却庫を提供することを目的とする。また、収納用部材の取り付け部分を封止することなく外壁とライナーの間の断熱材がライナーの表面から漏れることがない冷却庫を提供することを目的とする。
【課題を解決するための手段】
【０００５】
上記目的を達成するために本発明は、外壁と、この外壁の内面側に配置され、収納用部材が着脱可能であるライナーと、前記外壁と前記ライナーとの間に配置された断熱材とを有する扉を備えた冷却庫において、前記ライナーは複数の凹部を有し、前記収納用部材は前記凹部に嵌合する形状の突起を有することを特徴とする。本発明において収納用部材とは、冷却庫の庫内に物品を収納するのに用いる部材を意味し、物品を収納できるポケット状のものだけでなく、手提げ袋など、取っ手が付いた物品を吊り下げることのできるフックなども含む。
【０００６】
また本発明は、上記構成の冷却庫において、前記ライナーが一体に成形されていることを特徴とする。
【０００７】
また本発明は、上記構成の冷却庫において、前記凹部が、前記ライナーの表面から前記外壁に向けて斜め下方に延びる形状であることを特徴とする。
【０００８】
また本発明は、上記構成の冷却庫において、前記収納用部材が、前記突起の付け根の下方に前記ライナーの表面と接するライナー接触部を備えることを特徴とする。
【０００９】
また本発明は、上記構成の冷却庫において、前記収納用部材として、上部に開口部を有する箱状のポケットを含むことを特徴とする。
【００１０】
また本発明は、上記構成の冷却庫において、前記収納用部材として、フックを含むことを特徴とする。
【００１１】
また本発明は、上記構成の冷却庫において、前記ライナーに前記凹部が少なくとも水平方向に等間隔に設けられており、前記ポケットが前記凹部の間隔と同じ間隔で複数の前記突起を有することを特徴とする。
【発明の効果】
【００１２】
本発明によると、ライナーには凹部に収納用部材を着脱可能にするために、ライナーに収納用部材を取り付けるための別部材を設ける必要がない。
【００１３】
また、本発明によると、ライナーは一体に成形されており、かつ収納用部材を取り付けるための凹部が設けられているものの孔が空いていないため外壁とライナーとの間に設けられた断熱材がライナーの表面から漏れることがない。
【００１４】
また本発明によると、凹部がライナーの表面から外壁に向かって斜め下方に延びる形状であるため、収納用部材の突起を凹部から抜けにくくすることができる。
【００１５】
また本発明によると、収納用部材に荷重がかかった際に生じる回転モーメントに起因する応力を突起の上面だけでなくライナー接触部によっても受けることができるため、収納用部材により重いものを収納することができる。
【００１６】
また本発明によると、収納用部材として、ポケットを用いることができ、容積の小さい食品や卵、飲料品の缶やビンなどを容易に出し入れできる。また、フックを用いることによって、これらの物品を購入時の手提げ袋に入れたまま吊り下げることができる。
【００１７】
また本発明によると、複数の突起を有するポケットを任意の凹部に取り付けることができる。
【発明を実施するための最良の形態】
【００１８】
本発明の実施形態について、図を用いて説明する。図１は本発明の実施形態に係る冷却庫の外観斜視図、図２は冷却庫の扉の内側の正面図、図３は図２のＡ−Ａ部分断面図、図４は図２のＢ−Ｂ部分断面図、図５はポケットの背面からの外観斜視図、図６はフックの背面からの外観斜視図である。
【００１９】
冷却庫１は、内部（庫内）に食品その他の物品を冷却保存可能な本体２と、庫内を密閉可能な扉１０および扉２０とを備える。扉１０および扉２０は、垂直な一端を軸として開閉可能に本体２に設けられている。
【００２０】
扉１０は、図２に示すように、内側に開口部を有する箱状の外壁１１の開口部にライナー１２が取り付けられている。外壁１１とライナー１２との間は密閉空間であり、図３および図４に示すようにウレタンなどの断熱材１３が充填されている。ライナー１２は、ＡＢＳ（アクリロニトリルブタジエンスチレン共重合体）樹脂またはＰＳ（ポリスチレン）樹脂などからなる１枚の樹脂板を真空成形したもので、冷却庫の本体２側に突き出した突出部１４ａ、１４ｂ、１４ｃが設けられている。突出部１４ａ、１４ｂはライナー１２の左右両側に垂直方向に、突出部１４ｃはライナー１２の上部に水平方向に設けられている。また、突出部１４ａと突出部１４ｂとの間には凹部１５が水平方向および上下方向に等間隔に設けられており、ライナー１２の下方には突出部１４ａと突出部１４ｂの間隔とほぼ同じ幅を有する、別部材からなる大型ポケット１６が設けられている。ライナー１２にはポケット１７およびフック１８が取り外し可能に取り付けられている。ポケット１７は図５に示すように、上部に開口部を有する箱状であり、大型ポケット１６も同様の形状の、容積の小さい食品や卵、飲料品の缶やビン、パックなどを収容するものである。フック１８は、図６に示すように、ライナー１２に取り付けた際にライナー１２の表面から棒状の部材が突出し、取っ手の付いた手提げ袋などを吊り下げることができる形状であり、端部には吊り下げた物品が落ちないように棒状の部材より上方に延びる部分を有する係合部１８ａが設けられている。フック１８は、例えば図７（ａ）に示すようなカギ状のものや、図７（ｂ）に示す係合部１８ａがＵ字型のものであってもよい。
【００２１】
断熱材１３は、外壁１１を水平に載置して上方に開口部を有する箱のような状態とし、原料となる発泡ウレタンフォームなどを流し込み、ライナー１２を外壁１１の開口部に取り付けて発泡ウレタンフォームを密閉し、加熱して発泡させることによって、突出部１４ａ、１４ｂ、１４ｃの内部まで充填される。このとき、ライナー１２は孔のない１枚の樹脂板を真空成形したものであり、凹部１５が設けられているものの孔は空いていないため、凹部１５などライナー１２の表面から断熱材１３が漏れ出ることがない。
【００２２】
突出部１４ａ、１４ｂ、１４ｃは、扉１０を閉じたときに、本体２の開口部から、庫内に入り込み、扉１０の周囲からの庫内の冷気の漏洩を防止するものである。
【００２３】
凹部１５は、図３および図４に示すように、ライナー１２の表面に対して垂直方向に凹むように設けられている。また、ポケット１７およびフック１８のそれぞれに、凹部１５と嵌合する形状の突起１７ａ、１８ｂが設けられている。ポケット１７には突起１７ａが２個設けられており、フック１８には突起１８ｂが１個設けられている。これによって、ライナー１２には別の部材を設けることなく、ポケット１７もフック１８も取り付けることができる。ここで、ポケット１７およびフック１８を落ちにくくするために、突起１７ａ、１８ｂは凹部１５にきつめに嵌合するのが好ましい。
【００２４】
凹部１５は、水平方向に等間隔に設けられているため、突起１８ｂが１個だけのフック１８のみならず突起１７ａが２個設けられているポケット１７もライナー１２上の自由な位置に取り付けることが可能である。例えば、フック１８を上方の凹部１５に取り付けることで、フック１８に大きな袋を吊り下げることができ、また、ポケット１７を下方の凹部１５に取り付けることで、背の高いビンやパックなどを入れることができる。また、ポケット１７を扉１０の回動端側に寄せることにより、扉１０を大きく開けなくてもポケット１７から小さいものを取り出しやすくなる。
【００２５】
ここで、ポケット１７を、突起１８ｂが凹部１５と同じ間隔で３個以上設けることができる幅の広いものとし、突起１８ｂを３個以上取り付けてもよいし、そのうちいずれか２個だけを残してもよい。この場合も、突起１８ｂの間隔は凹部１５の間隔と同じであるため、ライナー１２で任意の凹部１５に嵌合させることができる。なお、図２、図４において凹部１５は水平方向に４箇所設けられているが、３箇所以下でも５箇所以上であっても構わない。
【００２６】
また、図３および図７に示すように、フック１８の突起１８ｂの付け根の下方に、フック１８をライナー１２に取り付けた際にライナー１２と接する板状のライナー接触部１８ｃを設けてもよい。これにより、フック１８に袋などを吊り下げて荷重をかけた際に、突起１８ｂの下面とライナー１２の表面との交点１８ｄを中心として発生する回転モーメントに起因する応力を、突起１８ｂの上面だけでなく、ライナー接触部１８ｃによっても受けることができる。したがって、より重いものをフック１８に吊り下げることができる。一方、ポケット１７においては、ポケット１７のライナー１２に接する面の上方に突起１７ａを設けることによって、この面でフック１８におけるライナー接触部１８ｃと同様に回転モーメントを受けることができる。なお、ライナー接触部１８ｃは突起１８ｂの下方に延びる部分があれば、図８のように横方向や上方に延びる部分があってもよい。
【００２７】
また、凹部１５は、図９に示すようにライナー１２の表面側から斜め下方に向かう形状であってもよい。このようにすることによって、突起１７ａ、１８ｂが抜けるためには斜め上方に移動しなければならないため、突起１７ａ、１８ｂが抜けにくくなり、ポケット１７やフック１８を落ちにくくすることができる。この場合、突出部１４ｃは凹部１５とほぼ平行に突出させ、ライナー１２全体として、アンダーカットのない形状とすれば、１枚の樹脂板からライナー１２を真空成形できる。
【産業上の利用可能性】
【００２８】
本発明は、冷蔵庫、冷凍庫などの冷却庫一般に利用することができる。
【図面の簡単な説明】
【００２９】
【図１】本発明の実施形態に係る冷却庫の外観斜視図
【図２】本発明の実施形態に係る冷却庫の扉の内面の正面図
【図３】図２のＡ−Ａ部分断面図
【図４】図２のＢ−Ｂ部分断面図
【図５】本発明の実施形態に係るポケットの外観斜視図
【図６】本発明の実施形態に係るフックの外観斜視図
【図７】本発明の実施形態の別の態様に係るフックの外観斜視図
【図８】ライナー接触部を設けたフックの外観斜視図
【図９】ライナー接触部を設けたフックの外観斜視図
【図１０】本発明の実施形態の別の態様に係る冷却庫の扉の断面図
【符号の説明】
【００３０】
１      冷却庫
１０      扉
１１      外壁
１２      ライナー
１３      断熱材
１５      凹部
１７      ポケット
１８      フック
１８ｃ    ライナー接触部
【図１】
2007032849.tif 000003
【図２】
2007032849.tif 000004
【図３】
2007032849.tif 000005
【図４】
2007032849.tif 000006
【図５】
2007032849.tif 000007
【図６】
2007032849.tif 000008
【図７】
2007032849.tif 000009
【図８】
2007032849.tif 000010
【図９】
2007032849.tif 000011
【図１０】
2007032849.tif 000012